(57)【要約】  輸送機のコンベア（１）は、多数のシャフト（２、３、４、５、６）と、多数の互いに平行するエンドレスベルト（７、８、９、10、11、12）とを含む。コンベア（１）は、多数のコンベアモジュール（13、14）をこれらの間で連結部によって互いに連続的に連結して含む。連結部（15）におけるベルトは、緩め得るように配設されて、緩めるべきベルトが上を通過する少なくとも１つのシャフト（３、４、５、６）が脱着可能で、コンベアモジュール（13、14）を互いから離すことを可能にする。コンベアモジュールを離すために、連結部におけるベルトループがその上で反転する少なくとも１つのシャフトを、他方のシャフトに関連して移動させて、ベルトループを緩める。緩めたベルトループが上を通過するシャフトを取り外して、ベルトループから取り除く。取り外したコンベアモジュールを取り除いて、保守を行い、および／または交換する。その組み立てでは、多数のコンベアモジュールを設けて、コンベアモジュールを次々に配して、連結部において、ベルトループと、連結部のベルトループに配されて少なくとも１つの脱着可能に取り付けられたシャフトとによって互いに連結する。連結部においてベルトループが上を通過するシャフトのうち少なくとも１つを移動させてベルトループをピンと張り、実質的に連続したコンベア面を連結部にわたって形成する。【選択図】図２および図３
2008501594.tif 000002
【特許請求の範囲】
【請求項１】
人を運ぶコンベア（１）を含み、該コンベアは、
−  互いに平行に、互いから所定の間隔を置いて、さらに前記コンベアの輸送方向を横断して配設され、それぞれのシャフトへ並べて連結した多数のベルトプーリを有する多数のシャフト（２、３、４、５、６）と、
−  ２つの異なるシャフト上の２つのベルトプーリ上をそれぞれが通過する、多数の相互に平行するエンドレスベルト（７、８、９、10、11、12）とを含み、
隣接するベルトプーリ上を通過する同一の共通シャフト上の２つの近接するベルトのうち、一方のベルトが前記共通シャフトに対して先のシャフト上のベルトプーリ上を通過し、また該ベルトに隣接する他方のベルトが前記共通シャフトに対して次のシャフト上のベルトプーリ上を通過する輸送機において、
該コンベア（１）は、多数のコンベアモジュール（13、14）をこれらの間で連結部（15）によって互いに連続的に連結して含み、前記ベルトは、連続するコンベアモジュール（13、14）をつなぎ合わせて、前記連結部にわたって１つの実質的に連続したコンベア面を形成し、前記連結部（15）におけるベルトは、緩めることができるように配設されて、緩めるべきベルトが上を通過する少なくとも１つのシャフト（３、４、５、６）が脱着可能で、前記コンベアモジュール（13、14）を互いから離すことができることを特徴とする輸送機。
【請求項２】
請求項１に記載の輸送機において、前記連結部（15）は、２つの脱着可能なシャフト（３、４）を有し、これらは互いに向かったり離れたりして移動可能に配設されて前記脱着可能なシャフト上を通過するベルトを緩めたり／ピンと張ったりし、前記コンベアモジュール（13、14）の端部で互いに連結されるべきベルトは、その他のコンベアモジュールのベルト（７）よりも長く、それぞれが前記２つの脱着可能なシャフト（３、４）および１つの固定シャフト（２）上を通過することを特徴とする輸送機。
【請求項３】
請求項１に記載の輸送機において、前記連結部（15）は、１つの脱着可能なシャフト（５）および２つのテンションシャフト（16）を有し、これらはコンベアモジュールのシャフト（２）のレベルに比例して異なるレベルで配置され、前記テンションシャフトがシャフト（２）のレベルに向かい／そこから離れて移動可能にして、ベルトを緩め／ピンと張ることを可能にし、前記コンベアモジュール（13、14）の端部で互いに連結されるべきベルト（10、11）は、その他のコンベアモジュールのベルト（７）よりも長く、それぞれが前記コンベアモジュール（13、14）の端部における固定シャフト（２）上と、１つのテンションシャフト（16）上と、前記脱着可能シャフト（５）上を通過することを特徴とする輸送機。
【請求項４】
請求項１に記載の輸送機において、前記コンベアモジュール（14）は、一方の端部において脱着可能なシャフト（６）を有し、これは、コンベアモジュール（13、14）のシャフト（２）の平面の方向に移動可能に配設されて、前記脱着可能シャフト（６）上を通過するベルト（７）を緩め／ピンと張って、前記脱着可能シャフト（６）を取り外すことを可能にし、前記連結部（15）は、１つのテンションシャフト（17）を含み、これはコンベアモジュールのシャフト（２）のレベルに比例して異なるレベルに配置され、前記テンションシャフト（17）は、シャフト（２）のレベルに向かい／そこから離れる移動可能なもので、連結部（15）においてそれらの上を通過するベルト（12）を緩め／ピンと張ることを可能にし、前記連結部におけるベルト（12）は、その他のコンベアモジュールのベルト（７）よりも長く、それぞれがコンベアモジュール（13）の端部における固定シャフト（２）と、テンションシャフト（17）と、脱着可能シャフト（６）上を通過することを特徴とする輸送機。
【請求項５】
請求項１ないし４のいずれかに記載の輸送機において、該輸送機は、床もしくは他の支持体などの固定基板上に据え付けられるように設計された低構造の輸送機であることを特徴とする輸送機。
【請求項６】
請求項１ないし５のいずれかに記載の輸送機において、該輸送機は、乗客輸送速度を実質的に遅い初速度から高輸送速度へ加速させる加速部と、乗客を一定の輸送速度で運ぶ定速部と、乗客輸送速度を一定の輸送速度から減速した最終速度へ減速させる減速部とを含むことを特徴とする輸送機。
【請求項７】
輸送機に関して、互いに次々に連結された多数のコンベアモジュール（13、14）から組み立てられたコンベア（１）のコンベアモジュールを取り外す方法であって、コンベアモジュール間に連結部が設けられ、エンドレスベルトループ（７、８、９、10、11、12）に連続するコンベアモジュール（６）を連結して、１つの実質的に連続したコンベア面を前記連結部（15）にわたって形成している方法において、該方法は、
脱着可能なコンベアモジュールを隣接する他のコンベアモジュールへ連結している各連結部(15)において、
−  前記連結部（15）のベルトループ（７、８、９、10、11、12）が上で反転するシャフト（３、４、５、６、16）のうち少なくとも１つを、前記ベルトループが上で反転する他のシャフト（２）に関連して移動させて、前記ベルトループを緩め、
−  前記コンベアモジュール（13、14）を互いから離すために、前記緩めたベルトが上を通過するシャフト（３、４、５、６）を取り外して、前記シャフトを前記ベルトループから取り除き、
−  前記離したコンベアモジュールを取り除いて、これを修理および／または他の対応するコンベアモジュールとの交換を可能にすることを特徴とする方法。
【請求項８】
請求項７に記載の方法において、該方法は、
−  ２つの脱着可能なシャフト（13、14）を前記連結部（15）に配設し、
−  前記連結部（15）の各ベルトループ（８、９）を、コンベアモジュールの端部における１つの固定シャフト（２）上と、１つの脱着可能シャフト上と、これらの間の１つの脱着可能シャフト上に設置し、
−  前記コンベアモジュール（13、14）を互いから離すために、前記脱着可能シャフト（３、４）を互いの方へ移動させて、これらの上を通過するベルトを緩めることを特徴とする方法。
【請求項９】
請求項７に記載の方法において、該方法は、
−  １つの脱着可能シャフト（５）と２つのテンションシャフト（16）とを前記連結部に配設し、
−  前記連結部（15）の各ベルトループ（10、11）を、前記コンベアモジュール（13、14）の端部における１つの固定シャフト（２）上と、１つのテンションシャフト（16）上と、前記脱着可能シャフト（５）上を通過させて、
−  前記コンベアモジュール（13、14）を互いから離すために、前記テンションシャフト（16）を移動させて、前記ベルトループ（10、11）を緩めることを特徴とする方法。
【請求項１０】
請求項７に記載の方法において、該方法は、
−  １つの脱着可能シャフト（６）を前記コンベアモジュール（14）の端部に配設し、さらに１つのテンションシャフト（17）を前記連結部（15）に配設し、
−  前記連結部におけるそれぞれのベルトループ（12）を、前記コンベアモジュールの端部の脱着可能シャフト上と、それに隣接するコンベアモジュール（13）の端部の固定シャフト（２）上と、テンションシャフト（17）上を通過させて、
−  前記コンベアモジュール（13、14）を互いから離すために、前記脱着可能シャフトを移動させてその上を通過しているベルトループ（７）を緩め、さらに前記テンションシャフト（17）を移動させてその上を通過しているベルトループ（12）を緩めることを特徴とする方法。
【請求項１１】
輸送機に関するコンベア（１）の組み立て方法において、該方法は、
−  多数のコンベアモジュール（13、14）を設けて、それぞれの輸送の長さが該コンベア（１）全体の輸送の長さの一部を形成し、
−  前記コンベアモジュール（13、14）を次々に配し、
−  前記コンベアモジュール（13、14）を、連結部（15）において、ベルトループ（７、８、９、10、11、12）と、前記連結部のベルトループに配されて少なくとも１つの脱着可能に取り付けられたシャフト（３、４、５、６）とによって互いに連結し、
−  前記連結部（15）においてベルトループ（７、８、９、10、11、12）が上を通過するシャフトのうち少なくとも１つを、前記脱着可能に取り付けられたシャフト（３、４、５、６）から離れる方向に移動させて、前記連結部におけるベルトループをピンと張り、１つの実質的に連続したコンベア面を前記連結部（15）にわたって形成することを特徴とする方法。
【発明の詳細な説明】
【発明の分野】
【０００１】
本発明は、請求項１の前段に記載の輸送機に関するものである。さらに、本発明は、請求項７の前段に記載の方法に関するものである。加えて、本発明は、請求項11の前段に記載の方法に関するものである。
【発明の背景】
【０００２】
従来技術において、乗客を輸送する目的の輸送機は、たとえば、特開2003-20181号、米国特許第1,689,201号、米国特許第2,769,522号および米国特許第3,592,139号から知られている。これらにおいて、コンベアは多数の隣接する幅の狭いベルトから成り、これらのベルトのいくつかはコンベアの幅にわたって配されて、輸送機の利用者を輸送するようにしている。このコンベアは多数のシャフトを有し、これらは互いに平行に、互いから所定の間隔を置いて、かつコンベアの輸送方向を横断して配設されている。それぞれのシャフトには、並べて配列された複数のベルトプーリが接続されている。さらに、このコンベアは、多数の互いに平行するエンドレスベルトを含む。これらのベルトの相互の配設は、ベルトが各シャフトの周囲にくし状に互いに組み合わさるように実行される。各ベルトは２つの連続するシャフト上の２つのベルトプーリ上を通過する。隣接するベルトプーリ上を通過する同一の共通シャフト上のそれぞれ２つの近接するベルトのうち、一方のベルトは、その共通シャフトに隣接する先のシャフト上のベルトプーリを通過し、上記ベルトに隣接する他方のベルトは、上記共通シャフトに隣接する次のシャフト上のベルトプーリを通過する。これらのベルトを動力伝達ベルトとして働かせることができ、またはシャフトへの動力伝達を外部の動力伝達手段を介して行うことができる。これらのベルトは、たとえばシャフト間の間隔を調節することによって、張力をかけられる。
【０００３】
従来技術の構造に伴う問題として、輸送機の組み立ては、最初のシャフトに既に取り付けられているベルト付きのそのシャフトから始める必要があり、また、次のシャフトをベルトループへ差し込む前であって、かつシャフト間の間隔を調節することによってそのベルトをそれぞれの正しい位置にピンと張る前に、次のベルトを先のベルト間に配置する必要がある。この組立作業は輸送機の一方の端部から他方へ進み、連続した構造物を作るが、この全体の構造が１つのテンションベルトマットを形成しているので、これは、たとえば破損ベルトの交換を可能にするのに、切断することはできない。さらなる問題は、この種の構造はこの装置の全組み立てを設置現場で行う必要があることにある。長いコンベア（100〜1000 m）の場合、装置の設置および保守が法外に困難になる。
【発明の目的】
【０００４】
本発明は上記欠点を克服することを目的とする。
【０００５】
本発明は、とくに、設置現場における組み立ておよび保守が以前よりも容易で迅速になる輸送機を開示することを目的とする。
【０００６】
さらに、本発明は、モジュール式構造の輸送機のコンベアにおけるコンベアモジュールの取り付けおよび交換を容易で迅速に行える方法を開示することを目的とする。
【０００７】
またさらに、本発明は、輸送機のコンベアの組み立てを容易で迅速に行うことができる方法を開示することを目的とする。
【発明の簡単な説明】
【０００８】
本発明の輸送機は、請求項１の特徴部分に示されるものを特徴とする。本発明の方法は、請求項７の特徴部分に示されるものを特徴とする。さらに、本発明の方法は請求項11の特徴部分に示されるものを特徴とする。
【０００９】
本発明の他の実施例は、その他の請求項に示されるものを特徴とする。本発明の実施例は、本願の明細書部分および図にも示す。本願に示される本発明の内容は、上記特許請求の範囲において定義する以外の方法で定義することもできる。本発明の内容は、いくつかの別個の発明から構成することができ、とくに本発明を明示のもしくは言外の下位機能に照らして、または達成される利点もしくは一連の利点に関して考慮する場合がある。このような場合、上記の請求の範囲に含まれる特性を別個の発明の概念の観点から不要にすることができる。本発明の基本的な概念の構成内において、本発明のさまざまな実施例の構成要件を、他の実施例に関連付けて適用することができる。
【００１０】
本発明によれば、コンベアは、多数のコンベアモジュールをこれらの間で連結部によって互いに連続的に連結して含み、ベルトは、連続するコンベアモジュールをつなぎ合わせて、この連結部全体にわたって１つの連続するコンベアを形成する。この連結部におけるベルトは、緩めることができるように配設されて、その緩めるべきベルトが上を通過する少なくとも１つのシャフトが脱着可能で、コンベアモジュールを互いから離すことができるようにしている。
【００１１】
本発明が有する利点では、コンベアは、分割されて適切な長さの扱いやすいコンベアモジュールにすることができ、このモジュールは、完全前組み立て部品として工場において前組み立てされ、設置現場に輸送され、またこの設置現場で次々に連結されて、長い輸送機のコンベアを形成することができる。コンベアの設置時間が短くなる。また、コンベアのモジュール式構造は、保守の点で非常に有利である。なぜならば、モジュールのうちの一つが損傷した場合、当該モジュールを容易に取り除いて、これに対応する無傷のモジュールと交換することができ、輸送機を作動稼働状態へ迅速に復旧させることができるからである。この損傷したモジュールは、保守設備へ輸送されて修理され、再び作動状態にすることができ、この保守作業は、モジュールの交換中以外は、輸送機の利用に対しては全く妨害にならない。したがって、保守による遊び時間が短くなる。ベルトの長さの許容差から累積される偏差はこれらのモジュール内に留まり、モジュール全体にわたっては蓄積されない。
【００１２】
輸送機の一実施例において、連結部は２つの脱着可能なシャフトを有し、これらは互いに向かったり離れたりして移動可能に配設され、その脱着可能なシャフト上を通過するベルトを緩め／ピンと張る。コンベアモジュールの端部で互いに連結されるべきベルトは、その他のコンベアモジュールのベルトよりも長く、それぞれが２つの脱着可能シャフトおよび１つの固定シャフト上を通過する。
【００１３】
輸送機の一実施例において、連結部は、１つの脱着可能なシャフトと２つのテンションシャフトとを有し、これらはコンベアモジュールのシャフトのレベルに比例して異なるレベルで配設される。テンションシャフトは、そのシャフトのレベルに向かったり離れたりする移動可能なもので、ベルトを緩め／ピンと張る。コンベアモジュールの端部で互いに連結されるべきベルトは、その他のコンベアモジュールのベルトよりも長く、それぞれが、コンベアモジュールの端部における固定シャフト、１つのテンションシャフトおよび脱着可能シャフト上を通過する。
【００１４】
輸送機の一実施例において、コンベアモジュールは、その一方の端部に脱着可能なシャフトを有し、これはコンベアモジュールのシャフトの平面の方向に移動可能に配設され、脱着可能なシャフト上を通過するベルトを緩め／ピンと張って、脱着可能シャフトを取り外すことができる。連結部は、１つのテンションシャフトを含み、これはコンベアモジュールのシャフトのレベルに比例して異なるレベルに配置され、またこのテンションシャフトは、シャフトのレベルに向かったり、離れたりする移動可能なもので、連結部においてそれらの上を通過するベルトを緩め／ピンと張ることができる。この連結部におけるベルトは、その他のコンベアモジュールのベルトよりも長く、それぞれがコンベヤモジュールの端部の固定シャフト、テンションシャフトおよび脱着可能シャフトの上を通過する。
【００１５】
輸送機の一実施例において、この輸送機は、低構造の輸送機であって、床もしくは他の支持体などの固定基板上に据え付けるように設計されている。
【００１６】
輸送機の一実施例において、この輸送機は、乗客輸送速度を実質的に遅い初速度から高輸送速度へと加速させる加速部と、乗客を一定の輸送速度で運ぶ定速部と、乗客輸送速度を一定の輸送速度から減速した最終速度へと減速させる減速部とを含んでいる。
【００１７】
本発明の方法によれば、脱着可能コンベアモジュールを隣接する他のコンベアモジュールへ連結するそれぞれの連結部において、連結部におけるベルトループがその上で反転する少なくとも１つのシャフトを、上記ベルトループがその上で反転する他方のシャフトに関連して移動させて、ベルトループを緩める。コンベアモジュールを互いから離すために、緩めたベルトループが上を通過するシャフトを取り外して、ベルトループから取り除く。最後に、取り外したコンベアモジュールを取り除いて、保守を行い、または他の対応するコンベアモジュールと交換する。
【００１８】
本方法の一実施例では、２つの脱着可能なシャフトを連結部に配設している。連結部におけるそれぞれのベルトループを、コンベアモジュールの端部の固定シャフト上と、１つの脱着可能シャフト上と、これらの間の１つの脱着可能シャフト上に設置している。コンベアモジュールを互いから離すために、これらの脱着可能シャフトを互いに向けて移動させて、それらの上を通過するベルトを緩める。
【００１９】
本方法の一実施例では、１つの脱着可能なシャフトと、２つのテンションシャフトとを連結部に配設している。連結部におけるそれぞれのベルトループを、コンベアモジュールの端部の固定シャフト上と、１つのテンションシャフト上と、その脱着可能シャフト上を通過させている。コンベアモジュールを互いから離すために、テンションシャフトを移動させてベルトループを緩める。
【００２０】
本方法の一実施例では、１つの脱着可能シャフトをコンベアモジュールの端部に配設し、１つのテンションシャフトを連結部に配設している。連結部におけるそれぞれのベルトループを、そのコンベアモジュールの端部における脱着可能シャフト上と、隣接するコンベアモジュールの端部における固定シャフト上と、そのテンションシャフト上を通過させている。コンベアモジュールを互いから離すために、その脱着可能シャフトを移動させて、その上を通過しているベルトループを緩め、そのテンションシャフトを移動させて、その上を通過しているベルトループを緩める。
【００２１】
本発明によれば、輸送機に関する方法において、コンベアの組み立てにおいて多数のコンベアモジュールを設けて、それぞれの輸送の長さがコンベア全体の輸送の長さの一部を形成している。すなわち、コンベアを分割して、それぞれ独立した小組み立て部品にしている。これらのコンベアモジュールを次々に配置して、連結部において、ベルトループと、連結部におけるベルトループに配されて少なくとも１つの脱着可能に取り付けられたシャフトとによって互いに連結している。連結部におけるベルトループが上を通過するシャフトのうち少なくとも１つを、脱着可能に取り付けられたシャフトから離れる方向に移動させて、連結部においてベルトループをピンと張り、１つの実質的に連続するコンベア面を連結部にわたって形成している。
【００２２】
次に、複数の実施例と添付の図面を参照して、本発明を詳細に説明する。
【発明の詳細な説明】
【００２３】
図１ないし図３は、乗客を運ぶコンベア１を含む、輸送機の一部を示す。このコンベア１は、多数のシャフト２、３および４を含み、これらは互いに平行に、互いから所定の間隔で、さらにコンベアの輸送方向に垂直に配設されている。それぞれのシャフト２、３および４上には多数のベルトプーリが並んで取り付けられている。
【００２４】
エンドレスループとして実行される互いに平行なベルト７、８および９は、各ベルトが連続した２つの異なるシャフト上の２つのベルトプーリを通過するように配設されている。図から分かるように、これらのベルトが組み合わされて、隣接したベルトプーリ上を通過する、同一の共通シャフト上のそれぞれ２つの近接しているベルトのうち、一方のベルトが共通シャフト２に隣接する先のシャフト２上のベルトプーリを通過し、他方のベルトは共通シャフト２に隣接する次のシャフト２上のベルトプーリを通過する。
【００２５】
これらの実施例図は、ベルトが２つの隣接した連続のシャフト上を通過することを示しているが、より長いベルトループを用いることは当然可能であり、その通路が配設されて、ベルトを周回（180°）させるシャフト間に、ベルトプーリ付きの１つ以上の支持用シャフトがあって、その上をベルトが方向を変えることなく実質的にまっすぐに走行するので、これらのシャフトの機能は、ベルトを下から支持するだけのものである。
【００２６】
コンベア１は、多数の連続するコンベアモジュールを次々につなぎ合わせて成るが、これらのうち図１ないし図３は、２つのコンベアモジュール13および14を示している。これらの間には連結部15があり、そこにおいてベルト８および９は連続したコンベアモジュール13および14を互いに連結して、１つの連続するコンベアを連結部15にわたって形成している。連結部15内のベルトは、緩めることができるように配設され、緩められるべきベルト８および９が上を通過する２つのシャフト３および４を取り外して、コンベアモジュール13および14を互いから取り外すことができる。
【００２７】
上述のように、図１ないし図３の実施例の連結部15は、２つの脱着可能シャフト３および４を含み、これらは、図２においては矢印で示すように、互いに向けて水平に移動可能に配設され、脱着可能シャフト３および４上を通過するベルトを緩めることができるようにしている。組み立て中、ベルト８および９を、シャフトを移動させて互いから離すことによって同様にピンと張る。コンベアモジュールの両端部で互いに連結されるべきベルト８および９は、コンベアモジュールのその他のベルト７よりも長くなっている。コンベアモジュールの端部におけるそれぞれのベルト８および９は、２つの脱着可能シャフト３および４と、固定シャフト２上を通過している。
【００２８】
図２および図３から分かるように、ベルト９は、第１の脱着可能シャフト３を右へ移動させることによって緩めることができ、そこで、シャフト４をその長手方向にベルト９の間から引き抜くことができる。同様に、第２の脱着可能シャフト４を左に移動させることによって、ベルト８を緩めることができ、そこで、シャフト４をその長手方向にベルトの８間から引き抜くことができる。組み立ては逆の順序で行う。
【００２９】
図４ないし図６は一実施例を示し、コンベアモジュール13および14の構造は図１ないし図３の実施例に対応するが、連結部15における構造に関しては異なっている。
【００３０】
連結部15は、1つの脱着可能シャフト５と、２つのテンションシャフト16とを含んでいる。テンションシャフト16は、コンベアモジュール13および14のシャフト２の高さに比例して異なるレベル、本実施例においては上記レベルより下に配置されている。テンションシャフト16は、上方へシャフト２のレベルに向かって移動してベルト10および11を緩めることができる。同様に、テンションシャフト16は、下方へシャフト２のレベルから離れるように移動することによってベルト10および11をピンと張ることができる。コンベアモジュール13および14の端部のつなぎ合わされるべきベルト10および11は、コンベアモジュールのその他のベルト７よりも長くなっている。ベルト10は、コンベアモジュール13の端部の固定シャフト２と、１つのテンションシャフト16と、脱着可能シャフト５上を通過している。同様に、ベルト11は、コンベアモジュール14の端部の固定シャフト２と、１つのテンションシャフト16と、脱着可能シャフト５上を通過している。
【００３１】
テンションシャフト16を垂直に動かすことによって、連結部15内のベルト10および11を緩めることができ、中央部のシャフト５を図５に示すように取り除くことができ、さらにモジュール13および14を互いから離すことができる。
【００３２】
図７ないし図９は、さらに他の実施例を示し、この場合、コンベアモジュール14は連結部15に隣接した端部に１つの脱着可能シャフト６を有している。このシャフト６は、コンベアモジュール13および14のシャフト２の平面の方向、すなわち、水平に移動可能に配設されて、脱着可能シャフト６上を通過するベルト７を緩めることができ、上記脱着可能シャフト６を取り外すことができる。
【００３３】
連結部15は、１つのテンションシャフト17を含み、これはコンベアモジュールのシャフト２のレベルに比例して異なるレベル、この場合は上記レベルより下に配置されている。テンションシャフト17は、シャフト２のレベルに向けて垂直に移動して、これらの上を通過する連結部15のベルト12を緩めることができる。組み立て中において、テンショニングは逆の順序で行う。連結部のベルト12は、コンベアモジュールのその他のベルト７よりも長くなっている。連結部15における各ベルト12は、コンベアモジュール13の端部の固定シャフト２と、テンションシャフト17と、脱着可能シャフト６上を通過している。
【００３４】
テンションシャフト17を上方へ移動させることによって、連結部のベルトを緩めることができ、そこで連結部15に隣接しているモジュール14のシャフト６を移動させることによって、それを通過するベルト12を緩めることができ、シャフト６を取り外すことができ、これによってモジュールを分離することができる。
【００３５】
取り外し後、モジュール13および14を取り替え、修理することができる。
【００３６】
明確にするため、概要図１ないし図９は、一方の端部でつなぎ合わされている２つのモジュールだけを示す。実際の輸送機は、100〜1000 mの長さを有するものでよく、長さ４ mの25〜250個のモジュールを次々につなぎ合わせて含むものでよい。明確にするため、図は少数のベルト７、８、９、10、11および12だけを示す。ベルト幅が約５mmである輸送機の実際の実施例は、その輸送機の幅にわたって100枚の隣接したベルトを有している。さらに、実際において、コンベアモジュール13および14は、図１ないし図９に示す数よりも多数のシャフト２を含んでいる。図は４〜５本のシャフト２だけを示すが、これらのシャフト２上のベルトプーリが直径10cmであり、これらのシャフトが12.5cmの間隔で配設されている場合、実際の実施例における４ m長のコンベアモジュールは32本のシャフトを含んでいる。
【００３７】
好ましい実施例では、コンベアモジュールで構成される輸送機は、床、または他の支持体などの固定基盤上に据え付けるように設計された低構造の輸送機であり、これは加速部、定速部および／または減速部を含むことができる。
【００３８】
本発明は上述の実施例に限定されることはなく、特許請求の範囲に定義する発明思想の範囲内で多くの改変を行うことができる。
【図面の簡単な説明】
【００３９】
【図１】図１は、本発明による輸送機の第１の実施例の部分的側面図を示し、２つのコンベアモジュールを次々につなぎ合わせている。
【図２】図２は、図１の実施例の上面図を示す。
【図３】図３は、コンベアモジュールが互いから取り外されている図１および図２の実施例を示す。
【図４】図４は、本発明による輸送機の第２の実施例の部分的側面図を示し、２つのコンベアモジュールを次々につなぎ合わせている。
【図５】図５は、図４における実施例の上面図を示す。
【図６】図６は、コンベアモジュールが互いから取り外されている図４および図５の実施例を示す。
【図７】図７は、本発明による輸送機の第３の実施例の部分的側面図を示し、２つのコンベアモジュールを次々につなぎ合わせている。
【図８】図８は、図７における実施例の上面図を示す。
【図９】図９は、コンベアモジュールが互いから取り外されている図７および図８の実施例を示す。
【図１】
2008501594.tif 000003
【図２】
2008501594.tif 000004
【図３】
2008501594.tif 000005
【図４】
2008501594.tif 000006
【図５】
2008501594.tif 000007
【図６】
2008501594.tif 000008
【図７】
2008501594.tif 000009
【図８】
2008501594.tif 000010
【図９】
2008501594.tif 000011
【国際調査報告】
2008501594.tif 000012
2008501594.tif 000013